(57)【要約】【課題】コンテンツ表示システムを導入するためには導入コストおよび維持費用が莫大な金額となるため容易に導入することが難しく、高機能なため高齢者や情報処理機器に不慣れな人には扱い難いシステムとなっている。また、既存の公共視聴覚機器を課金用表示装置として使用している場合はコンテンツに応じた課金制御が困難であり、電源を制御するための専用機器が別途必要となる。【解決手段】インターネットなどの設備や各種情報処理機器が不要なため、既存の公共視聴覚機器へ必要に応じて設置することが可能なため低価格となり、業務モードに対応した公共視聴覚機器に付属しているリモコンの未使用ボタンを利用するため使用者の操作性が向上する。また、課金管理タイマーと表示装置の電源をコンテンツに応じて自動的に制御することが可能なため、電源を制御するための専用機器が不要となる。【選択図】図１
2012114888.tif 000002
【特許請求の範囲】
【請求項１】
公共視聴覚機器に付属しているリモコンを、業務モードにおいて未使用となるリモコンのボタンを利用することで各種コンテンツの選択が簡単にできる操作手段と、各種コンテンツを選択するためのメニューなどを定義するコンテンツ情報の設定ファイルをコンテンツ提供者がパソコンを使用して任意に、かつ容易に作成することができ、静止画や動画などのコンテンツと共に設定ファイルをストレージ機器に保存した状態で接続すると、自動的にメニューを構成して表示することができるコンテンツ生成手段からなるコンテンツプレイヤーシステム。
【請求項２】
前記公共視聴覚機器を課金用表示装置として使用する場合には、課金管理タイマーと表示装置の電源をコンテンツに応じて自動的に制御することが可能な請求項１のコンテンツプレイヤーシステム。
【発明の詳細な説明】
【技術分野】
【０００１】  本発明は、病院、ホテル、一般の公共施設などで使用される業務モードに対応した公共視聴覚機器において、各種コンテンツの表示システムを低価格で容易に実現することができるコンテンツプレイヤーシステムに関する。
【背景技術】
【０００２】  従来、公共施設における設備の説明や広報などはインターネットを使用して、パソコンやサーバーなどから構成された大規模なシステムとなっており、多数のコンテンツ（テレビ、ビデオ、ゲーム、メールなど）が提供されているため、コンテンツの管理などに専門的な知識が必要となっている。
【発明が解決しようとする課題】
【０００３】  本発明が解決しようとする課題は、インターネットが導入されていない施設でコンテンツ表示システムを導入する場合、ＬＡＮなどの設備工事、各種情報処理機器（サーバー、パソコン、バックアップ関連機器など）の購入や定期的な保守などが必要となり、導入コストおよび維持費用が莫大な金額となるため容易に導入することが難しい状態となっている。また、コンテンツを利用するユーザーにとっては、高機能で複雑な操作となるため、視聴したいコンテンツにたどり着くまでの手順を覚える必要があり、特に高齢者や情報処理機器に不慣れな人には扱い難いシステムとなっている。さらに、既存の公共視聴覚機器を課金用表示装置として使用している場合は、予め表示装置で設定されたチャンネルまたは外部入力の種類毎に課金制御しているため同一のチャンネルまたは外部入力の表示状態で、コンテンツに応じた課金制御が困難になっている。また、コンテンツに応じた課金制御を実現する際にも、課金管理タイマーと表示装置の電源を制御するための専用機器が別途必要となる。
【課題を解決するための手段】
【０００４】  本発明のコンテンツプレイヤーはインターネットなどの設備や各種情報処理機器が不要なため、既存の公共視聴覚機器へ必要に応じて設置することが可能であり、低価格でコンテンツプレイヤーシステムを導入することができる。また、本発明は業務モードに対応した公共視聴覚機器に付属しているリモコンの未使用ボタンを利用するため専用リモコンが不要となり、同じリモコンを使用することでリモコンを使い分ける必要がなく、操作性の向上を特徴とする。
【０００５】  各種コンテンツのメニューは、コンテンツ提供者がパソコンを使用してテキスト形式によって簡単に作成することができ、メニューの階層構造なども容易に実現することができる。デジタルカメラ、デジタルビデオカメラなどを使用したコンテンツは、メニューで表示されるアイコンにファイル名とリンクした記号を指定することでコンテンツ情報を作成することができる。
【０００６】  作成されたコンテンツ情報は汎用的なストレージ機器（ＵＳＢデバイスやＳＤカードなど）に保存して、本発明のコンテンツプレイヤーに接続すると、コンテンツ情報を自動的にダウンロードして表示メニューの構成を生成する。また、コンテンツを利用するユーザーが独自に準備（持参）したコンテンツを汎用的なストレージ機器（ＵＳＢデバイスやＳＤカードなど）に保存して、本発明のコンテンツプレイヤーに接続すると最優先で処理して再生可能なコンテンツを自動的に再生することができる。なお、ユーザーコンテンツを自動的に処理することで、高齢者や情報処理機器に不慣れな人でも、抵抗感がなく簡単に操作することができる。
【０００７】  公共視聴覚機器を課金用表示装置として使用する場合、本発明のコンテンツプレイヤーは各種コンテンツ情報に基づいた課金制御を実現するとともに、課金管理タイマーと表示装置の電源をコンテンツに応じて自動的に制御することが可能なため、電源を制御するための専用機器が不要である。
【発明の効果】
【０００８】  業務モードに対応した公共視聴覚機器に付属しているリモコンを利用することで、リモコンの使い分けが不要なため操作性が向上する。また、コンテンツの作成および管理が容易であり、コンテンツ提供者においても利便性の良いコンテンツプレイヤーシステムを実現することができる。さらに、インターネットや各種情報処理機器、課金管理タイマーと表示装置の電源制御機器が不要なため、低価格でコンテンツプレイヤーシステムを導入することができる。
【実施例】
【０００９】  図１に本発明のコンテンツプレイヤーシステムの構成図を示す。コンテンツプレイヤーシステムの制御部１と赤外線送信部２から構成される。公共視聴覚機器の業務用モードにおいて未使用となっているリモコンのボタンから赤外線受信３することで各種コンテンツの操作などをおこなう。コンテンツは映像出力５および音声出力６によって表示装置へ出力される。また、課金装置として使用する場合にはＡＣ  ＯＵＴＬＥＴ７を制御する。【００１０】  図２は制御部１の電気回路のブロック図で、赤外線受信３をプロセッサ８で解析して有効な受信の場合は、赤外線送信部１３から表示装置へ出力する。プロセッサ８は赤外線受信３の解析結果に基づき、映像出力５、音声出力６、ＡＣ制御回路１２などを制御する。ストレージ機器４がＵＳＢ・ＳＤ９に接続されるとプロセッサ８はストレージ機器４に保存された予め決められた専用フォルダを検索して、該当するフォルダが存在する場合には専用フォルダ内に保存された設定ファイルおよびコンテンツファイルをＦｌａｓｈ  Ｍｅｍｏｒｙ１０へ自動的にダウンロードする。ダウンロードされた設定ファイルからコンテンツ情報に基づいて表示メニューの構成を生成し、メニューからコンテンツファイルをリンクする。また、コンテンツを利用するユーザーが独自に準備（持参）したコンテンツを保存したストレージ機器４がＵＳＢ・ＳＤ９に接続されると、プロセッサ８はストレージ機器４に保存された専用フォルダを検索して、該当するフォルダが存在しない場合は再生可能なコンテンツを検索する。再生可能なコンテンツが存在する場合には自動的に再生する。なお、ストレージ機器４がＵＳＢ・ＳＤ９に接続されると自動的に最優先で処理される。また、ＡＣ  ＯＵＴＬＥＴ７は使用される公共視聴覚機器の構成に応じて、複数のＡＣを制御することも可能であり、課金用表示装置として使用する場合にはＡＣ制御回路１２によって課金管理タイマーと表示装置の電源をコンテンツに応じて自動的に制御することが可能である。ＡＣ制御回路１２はリレーや消費電流の検知回路などを有する。ＡＣ／ＤＣ１１はコンテンツプレイヤーシステムで使用される電源を供給する。【００１１】  図３に本発明のコンテンツプレイヤーシステムのメインメニュー表示例を示す。メインメニュー画面１４には任意のアイコン１５を表示することが可能であり、アイコン１５は番号によって管理される。アイコン１５にはコンテンツ提供者が任意の文字などを表示することができる。【００１２】  図４はサブメニューの表示例で、サブメニュー画面１６には前メニューのアイコン１５で表示されていた文字をタイトル１７として表示し、任意のアイコン１５および画面制御用として戻る１８を表示することができる。戻る１８を選択すると前メニューを表示する。【００１３】  図５は静止画コンテンツの表示例で、静止画コンテンツ表示画面１９には前メニューのアイコン１５で表示されていた文字をタイトル１７として表示し、静止画制御用として前ページ２０、次ページ２１、終了２２を表示することができる。前ページ２０、次ページ２１を選択すると表示する静止画を切替える。終了２２を選択すると前メニューを表示する。なお、タイトル１７はコンテン��を利用するユーザーが準備（持参）した静止画コンテンツの場合には表示されない。【００１４】  図６は動画コンテンツの表示例で、動画コンテンツ表示画面２３には前メニューのアイコン１５で表示されていた文字をタイトル１７として表示し、動画制御用として停止２４、一時停止２５、再生２６、終了２２を表示することができる。停止２４を選択すると再生を停止し、再生２６を選択すると最初から再生する。一時停止２５を選択すると再生を一時停止し、再生２６を選択すると一時停止位置から再生する。終了２２を選択すると前メニューを表示する。なお、タイトル１７はコンテンツを利用するユーザーが準備（持参）した動画コンテンツの場合には表示されない。【００１５】  図７に本発明のコンテンツプレイヤーシステムのテキスト形式によるコンテンツ設定例を示す。コンテンツの設定ファイルは、コンテンツ提供者がパソコンを使用して簡単に作成することができる。メニューとコンテンツファイルのリンクは、例えばアクションで指定するｍ−１をコンテンツファイル名の先頭に用いる（ｍ−１＿受付．ｊｐｇ）ことでリンクさせることができる。本設定例は用途に応じて、さらに簡略化したテキスト形式にすることも可能である。【００１６】  図８および図９は、図７で示されたコンテンツ設定例に基づいたメニューの表示例である。
【図面の簡単な説明】
【００１７】
【図１】  本発明のコンテンツプレイヤーシステムの構成図である。
【図２】  制御部のブロック図である。
【図３】  メインメニューの表示例である。
【図４】  サブメニューの表示例である。
【図５】  静止画コンテンツの表示例である。
【図６】  動画コンテンツの表示例である。
【図７】  テキスト形式によるコンテンツ設定例である。
【図８】  コンテンツ設定例に基づくメインメニューの表示例である。
【図９】  コンテンツ設定例に基づくサブメニューの表示例である。
【符号の簡単な説明】
【００１８】  １  制御部
２  赤外線送信部
３  赤外線受信
４  ストレージ機器
５  映像出力
６  音声出力
７  ＡＣ  ＯＵＴＬＥＴ
８  プロセッサ
９  ＵＳＢ・ＳＤ
１０  Ｆｌａｓｈ  Ｍｅｍｏｒｙ
１１  ＡＣ／ＤＣ
１２  ＡＣ制御回路
１３  赤外線送信
１４  メインメニュー画面
１５  アイコン
１６  サブメニュー画面
１７  タイトル
１８  戻る
１９  静止画コンテンツ表示画面
２０  前ページ
２１  次ページ
２２  終了
２３  動画コンテンツ表示画面
２４  停止
２５  一時停止
２６  再生
【図１】
2012114888.tif 000003
【図２】
2012114888.tif 000004
【図３】
2012114888.tif 000005
【図４】
2012114888.tif 000006
【図５】
2012114888.tif 000007
【図６】
2012114888.tif 000008
【図７】
2012114888.tif 000009
【図８】
2012114888.tif 000010
【図９】
2012114888.tif 000011